(57)【特許請求の範囲】
【請求項１】
座の後ろ側に配置した背支柱に背アウターシェルを取り付けており、背もたれが、前記背アウターシェルのみか、又は、前記背アウターシェルと背支柱とに取り付けられている構成であって、
前記背アウターシェルの前面には、前記背支柱の上部が下方から嵌まり込む下向き開口のポケット部が形成されており、前記ポケット部の側板が、前記背アウターシェルに前向き突設した上下長手のリブと一体化している、
椅子。
【請求項２】
前記座の下方に配置されたベースに背フレームが後傾動自在に連結されており、前記背フレームの後端部は、正面視で前記背アウターシェルの下端部と重なり合う上向きの背支持部を含む形態になっていて、前記背支持部の左右両側部から前記背支柱が立ち上がっており、
更に、前記背アウターシェルの下部の左右中間部と左右両端部とに、当該背アウターシェルの下部を前記背フレームに後部に取り付けるための後ろ係合部が形成されている一方、前記背フレームの後端部の左右中間部と左右両端部とには、前記背アウターシェルの後ろ係合部が弾性変形して嵌合する前係合部を形成している、
請求項１に記載した椅子。
【請求項３】
前記背支柱の前面に、前向きに開口した上下長手の縦溝を形成している、
請求項１又は２に記載した椅子。
【請求項４】
前記背支柱の上端に、正面視で当該背支柱の上端から分岐したブロック部を設けており、前記ブロック部は、前記背アウターシェルに設けたリブで横ずれしないように保持されている、
請求項１〜３のうちのいずれかに記載した椅子。
【発明の詳細な説明】
【技術分野】
【０００１】
本願発明は、背もたれを備えた椅子に関するものである。
【背景技術】
【０００２】
ロッキング椅子において、ベースに後傾動自在に連結された背フレームに背アウターシェルを取り付けて、この背アウターシェルに背もたれを取り付けたり、背フレームに背もたれを取り付けたりすることが行われている。
【０００３】
背もたれを背フレームに取り付ける例として、特許文献１には、背もたれが前後に開口した枠構造のバックサポートにメッシュ材を取り付けた構造になっている椅子において、背フレームの左右両端部に起立部を突設し、この起立部に、バックサポートを構成する左右サイドメンバーの下端部を嵌め込むことが開示されている。また、特許文献２には、左右に配置された背支持部にシェル状の背板を嵌め込むことが開示されている。
【先行技術文献】
【特許文献】
【０００４】
【特許文献１】特開２００６−１２２４６１号公報
【特許文献２】特開２００７−１４３９６１号公報
【発明の概要】
【発明が解決しようとする課題】
【０００５】
上記両公報は背もたれの構成要素を背支柱に嵌め込むものであり、いずれも椅子の組み立てが簡単である等の利点をする。他方、背アウターシェルを背フレームに取り付ける構造として、ねじ止めも採用されているが、特許文献２のような嵌め込み方式を採用すると組み立てを簡単に行える利点がある。
【０００６】
その場合、背アウターシェルは背もたれを後ろから覆う美粧機能も発揮しているため、背フレームはできるだけ外部に露出しないのが好ましい。また、背アウターシェルには大きな背もたれ荷重が作用するため、背アウターシェルと背フレームとの連結部は高い支持機能を有する必要がある。
【０００７】
本願発明は、このような現状に鑑み成されたものであり、特許文献２のような取り付けの容易性は確保しつつ、高い支持強度を確保すること等を目的とするものである。
【課題を解決するための手段】
【０００８】
本願発明（請求項１の発明）の椅子は、
座の後ろ側に配置した背支柱に背アウターシェルを取り付けており、背もたれが、前記背アウターシェルのみか、又は、前記背アウターシェルと背支柱とに取り付けられている構成であって、
前記背アウターシェルの前面には、前記背支柱の上部が下方から嵌まり込む下向き開口のポケット部が形成されており、前記ポケット部の側板が、前記背アウターシェルに前向き突設した上下長手のリブと一体化している。
【０００９】
本願発明は様々に展開できる。その例を請求項２〜４で特定している。このうち請求項２の発明は、請求項１において、まず、前記座の下方に配置されたベースに背フレームが後傾動自在に連結されており、前記背フレームの後端部は、正面視で前記背アウターシェルの下端部と重なり合う上向きの背支持部を含む形態になっていて、前記背支持部の左右両側部から前記背支柱が立ち上がっている。
【００１０】
更に、請求項２では、前記背アウターシェルの下部の左右中間部と左右両端部とに、当該背アウターシェルの下部を前記背フレームに後部に取り付けるための後ろ係合部が形成されている一方、前記背フレームの後端部の左右中間部と左右両端部とには、前記背アウターシェルの後ろ係合部が弾性変形して嵌合する前係合部を形成している。
【００１１】
また、請求項３の発明は、請求項１又は２において、前記背支柱の前面に、前向きに開口した上下長手の縦溝を形成している。
更に、請求項４の発明は、請求項１〜３のうちのいずれかにおいて、前記背支柱の上端に、正面視で当該背支柱の上端から分岐したブロック部を設けており、前記ブロック部は、前記背アウターシェルに設けたリブで横ずれしないように保持されている。
【発明の効果】
【００１２】
本願発明では、背アウターシェルの前面にリブの群を形成できるため、背アウターシェルは、全体的に薄肉化しつつ極めて高い強度を確保し得る。そして、背もたれは、ポケット部に連続したリブの手前に位置するため、ポケット部を設けた空間はデッドスペースになっているが、背支柱はデッドスペースである空間に配置されているため、背アウターシェルは、大型化したり強度低下させたりすることなく背支柱に連結することができる。
【００１３】
また、ポケット部も背アウターシェルの補強効果を発揮するため、強度アップにも貢献できる。また、背支柱は背アウターシェルの手前側において露出した部分を有するため、実施形態のように肘掛け装置の取り付けに利用することも可能である。
【００１４】
請求項２の構成を採用すると、背もたれは、ポケット部を背支柱に嵌めこんでから下部を背フレームに押し付けるというごく簡単な操作により、背フレームにしっかりと取り付けることができる。従って、椅子の組み立て作業の能率を格段に向上できる。
【００１５】
背支柱には背アウターシェルの荷重が後ろから作用するため、背アウターシェルの狭い部位に応力が集中することを防止するためには、背支柱はある程度の左右幅が存在するのが好ましい。すなわち、背支柱と背アウターシェルとの当接面はある程度の大きさを有するのが好ましい。他方、背フレームは金属のダイキャスト品や樹脂の成形品とするのが好ましいが、背支柱にある程度の左右横幅を持たせると、必要以上の強度になる可能性があると共に素材の使用量が増えて不経済になるおそれがある。
【００１６】
これに対して、本願請求項３のように背支柱の前面に縦溝を形成すると、背支柱について、必要な強度は確保しつつ材料の使用量を減らすことができる利点がある。また、実施形態に示すように、縦溝を背もたれの取り付けに利用することも可能になる。
【図面の簡単な説明】
【００１７】
【図１】実施形態に係る椅子の外観図で、（Ａ）手前から見た斜視図、（Ｂ）は後ろから見た斜視図、（Ｃ）は側面図である。
【図２】（Ａ）は椅子の主要構成要素の分離斜視図、（Ｂ）は背フレーム及び背アウターシェルの部分斜視図である。
【図３】背フレームと背アウターシェルとの分離斜視図である。
【図４】（Ａ）は背フレームと背アウターシェルとの分離斜視図、（Ｂ）は背フレームと背アウターシェルとの連結部の部分的な縦断側面図、（Ｃ）は背フレームの後ろコーナー部の部分斜視図、（Ｄ）は背アウターシェルの部分的な斜視図である。
【図５】（Ａ）（Ｂ）とも肘掛け装置の取り付け構造を示す斜視図である。
【図６】背アウターシェルと背フレームとより成るバックサポートと背インナーシェルとを並べて配置した図である（背インナーシェルは裏返して表示している。）。
【図７】背インナーシェルとバックサポートとの分離斜視図である。
【図８】背インナーシェルとバックサポートとの分離斜視図である。
【図９】（Ａ）（Ｂ）は背インナーシェルの部分的な斜視図、（Ｃ）は背アウターシェルの部分的な斜視図である。
【図１０】（Ａ）（Ｃ）は背アウターシェルの部分的な斜視図、（Ｂ）（Ｄ）は背インナーシェルの部分的な斜視図である。
【図１１】（Ａ）はキャッチ部材と背アウターシェルとの分離斜視図、（Ｂ）はキャッチ部材を背インナーシェルに取り付けた状態での斜視図、（Ｃ）は背インナーシェルとキャッチ部材との分離斜視図、（Ｄ）はキャッチ部材の斜視図である。
【図１２】背もたれの略上半部を図６のＹ−Ｙ線で切断した断面図である。
【図１３】背もたれの上半部を図６のＹ−Ｙ線で切断した断面図である。
【発明を実施するための形態】
【００１８】
次に、本願発明の実施形態を図面に基づいて説明する。以下の説明では方向を特定するため「前後」「左右」の文言を使用するが、この前後左右の文言は着座した人を基準にしている。正面視方向は着座した人と対峙した方向であり、従って、正面視での左右と着座した人から見た左右とは逆になる。
【００１９】
(1).椅子の概略
まず、椅子の概要を主として図１〜図３に基づいて説明する。本実施形態は、事務用等に多用されている回転椅子に適用しており、図１に示すように、椅子は、脚支柱１及びキャスタを有する脚装置２と、脚支柱２の上端に固定したベース３と、ベース３の上に配置した座４と、着座した人がもたれ掛かり得る背もたれ５とを有している。
【００２０】
ベース３の上には、図１（Ｂ）に表れている中間部材（座受け部材）６が配置されており、この中間部材６に、樹脂製の座アウターシェル７が取り付けられている。座４は、樹脂製の座インナーシェル（座板）と、その上面に重ね配置した座クッション材とを有しているが、本願との直接の関係はないので説明は省略する。
【００２１】
図２に示すように、ベース３には背フレーム８が後傾動自在に連結されており、この背フレーム８に背アウターシェル９が取り付けられている。背フレーム８は、略前後方向に延びる左右のサイドアーム９とその後端に一体に繋がった左右横長のリア部１０と、リア部１０の後端から立ち上がった（上向きに突出した）背支持部１１とを有しており、この背支柱部１１に背アウターシェル１２が取り付けられている。
【００２２】
背支持部１１は概ね板状の状態で立ち上がっており、その左右両側部には、上向きに突出した背支柱１３を一体に設けている（背支柱１３も背支持部１１の一部であり、従って、背支持部１１は基部と左右背支柱１３とを有する上向き開口コ字形になっている。）。左右サイドアーム９の前後中途部にはジョンイントバー１４が一体に繋がっている。このため、背フレーム８は頑丈な構造になっている。
【００２３】
なお、本実施形態の椅子は、ロッキングに際して座が後退しつつ後傾するシンクロタイプであり、ジョンイントバー１４には、中間部材６に連結された連結軸１５が一体成形又は溶接で設けられている。図３（Ａ）で軸１５の右端に嵌まっているのは、中間部材６に装着される抜け止めキャップである。
【００２４】
背フレーム８は、ガラス繊維入りポリアミド系樹脂のようなエンジニアリングプラスチック製であるが、アルミ等の金属のダイキャスト品や板金製品も採用可能である。背アウターシェル１２は、ポリプロピレン等の樹脂を素材にした成形品である。図１（Ｂ）に示すように、背アウターシェル１２の上部は、側面視でカーブしながら背もたれ５の後ろにはみ出た後ろ向き突出部１２ａになっており、この後ろ向き突出部１２ａの箇所は上下に開口している。
【００２５】
図１（Ａ）に示すように、背もたれ５は、樹脂製の背インナーシェル（背板）１６とその前面に張ったクッション１７とを備えており、クッション１７はクロス等の表皮材１８で覆われている。表皮材１８は背インナーシェル１６の後ろに回り込んでいるが、背インナーシェル１６の裏面の全体は覆っていない。そして、本実施形態では、背フレーム８の背支持部１１及び背アウターシェル１２でバックサポートが構成されており、このバックサポートに対して背もたれ５が２段階に高さを変えて取り付けられる。この点を次に説明する。
【００２６】
(2).背フレームと背アウターシェルとの取り付け構造
まず、主として図３〜５を参照して、背フレーム８に対する背アウターシェル１２の取り付け構造を説明する。図４（Ａ）に示すように、背支柱１３は概ね角柱のような外観を呈しており、背支柱１３の前面には、背支持部１１の下端まで延びる縦溝２０が形成されている。また、背支柱１３の上端には、左右外向きに突出したブロック部２１が一体に形成されている。背支柱１３の上端部とブロック部２１との間には、上向きに開口溝２２が形成されている。従って、ブロック部２１は、正面視で、背支柱１３の上端図から分岐した状態になっている。
【００２７】
他方、例えば図３に示すように、背アウターシェル１２の左右側部には上下長手のサイドリブ２３が形成されていると共に、サイドリブ２３の内側には上下長手のミドルリブ２４が形成されている。従って、サイドリブ２３とミドルリブ２４との間は前向きに開口した空間になっている。そして、ミドルリブ２４の外側に、下向きに開口したポケット部２５を形成しており、ポケット部２５が、背支柱１３の上端部１３ａに上から嵌まっている。これにより、背アウターシェル１２は、背支柱１３の上端部１３ａに対して左右動不能で前後移動不能に保持されている。
【００２８】
ポケット部２５とサイドリブ２３との間の空間に、ブロック部２１がきっちり嵌まっている。また、ポケット部２５の外側板２５ａが、背支柱１３とブロック部２１の間の上向き開口溝２２に嵌まっている。なお、背アウターシェル１２はその表面を成形する第１金型と裏面側を成形する第２金型とを主要要素とした金型装置で成形されるが、ポケット部２５は第１金型に装着したスライド型によって成形される。そして、背アウターシェル１２はポケット部の下方部位が最も前に位置するように縦断側面視で湾曲しているため、第１金型にスライド型をスライド自在に装着することを簡単に行える。
【００２９】
サイドリブ２３は、背アウターシェル１２の側端からある程度の寸法だけ内側に寄った部位に設けられている。また、例えば図２（Ａ）に示すように、左右サイドリブ２３の上端には左右横長のアッパリブ２６が一体に繋がっている一方、左右ミドルリブ２４の下端には左右横長のロアリブ２７が繋がって、ロアリブ２７とアッパリブ２６とは、上下長手のインナーリブリブ２８で繋がっている。背インナーシェル１６は、サイドリブ２３とアッパリブ２６とに当接している（少なくともサイドリブ２３で支持されておれば足り、アッパリブ２６と背インナーシェル１６との間には隙間が空いていてもよい。）。
【００３０】
他方、図１２から理解できるように、人が背もたれ５にもたれ掛かっていない状態では、ミドルリブ２４及びインナーリブ２８並びにロアリブ２７と背インナーシェル１６との間には、隙間が空いている。従って、背インナーシェル１６は、着座者の体圧で多少は変形し得る。但し、背インナーシェル１６の左右両側部と上部は、背アウターシェル１２に設けたサイドリブ２３等にきちり保持されている。従って、大きくベンディングはしない。例えば図２（Ａ）に示すように、背インナーシェル１６は、着座者の腰部に当たる部分（ランバーサポート部）が最も前に位置するように、側面視（或いは縦断側面視）で前向き凸状に湾曲しており、これに倣って、背アウターシェル１２も側面視で前向き凸状に湾曲している。
【００３１】
図４（Ａ）（Ｂ）に示すように、背アウターシェル１２の下部の左右中間部には、請求項に記載した後ろ係合部の一環として、左右側板２９ａの前端にバー部２９ｂが連結された下部ストッパー２９を前向きに突設している一方、背フレーム８の背支持部１１には、請求項に記載した前係合部の一環として、下部ストッパー２９が嵌まる下部ストッパー穴３０を形成している。
【００３２】
そして、下部ストッパー２９のバー部２９ｂに、側面視で斜め後ろ上に突出した爪片２９ｃを形成している一方、ストッパー穴の上内面には、爪片２９ｃが手前から引っ掛かり係合する係合段部３１を形成している。このため、背アウターシェル１２は、上向き抜け不能に保持されている。
【００３３】
更に、図４（Ａ）（Ｃ）（Ｂ）に示すように、背アウターシェル１２の左右コーナー部に、請求項に記載した後ろ係合部の一環として、側面視で斜め後ろ上向きに突出したコーナー係合爪３２を設けている一方、背フレーム８の左右後部のコーナー部には、請求項に記載した前係合部の一環として、コーナー係合爪３２が嵌まるコーナー係合穴３３を形成している。コーナー係合穴３３には、コーナー係合爪３２が弾性変形してから戻ることで引っ掛かる下向きのコーナー係合突起３４を形成している。
【００３４】
図４（Ａ）（Ｃ）（Ｂ）に矢印３５で示すように、コーナー係合爪３２は、後ろからコーナー係合穴３３に嵌め込まれる。同様に、下部ストッパー２９のバー部２９ｂも、後ろから手前に押すことでストッパー穴３０に嵌入し、いったん弾性変形してから戻ることにより、段部３１に手前から引っ掛かり係合する。背アウターシェル１２の下端と背フレーム８の後端とは、同一部材であるかのように外面が滑らかに連続していると共に、背支持部１１や背支柱１３は外部に露出していない。このため、高い美粧効果を発揮している。
【００３５】
以上のように、ポケット部２５は、サイドリブ２３とミドルリブ２４との間のデッドスペースに配置されているため、背アウターシェル１２が大型化することはない。また、背もたれ荷重により、背もたれ５には背支柱１３の上端を中心にして下部が手前に押されるようなモーメントが生じるが、背もたれ５の下部（背インナーシェル１６の下部）は広い範囲で背支持部１１に重なっているため、背支持部１１で背もたれ５をしっかりと支えることができる。
【００３６】
なお、図５に示すように、ブロック部２１には後ろ向きに開口した凹部３６が形成されており、この凹部３６に固定式肘掛け３７の上端部３８を嵌め込んで、ビス３９で固定することができる。固定式肘掛け３７の上端部３８には、ナット４０が嵌まるナット穴４１をその先端に開口するように形成しており、ビス３９は、ブロック部２１に前から挿通されてナット４０にねじ込まれる。固定式肘掛け３７を取り付けるときは、背アウターシェル１２のサイドリブ２３のうちポケット部２５の外側の部分２３ａは、除去又は内向きに折り畳まれる（或いは折り返される）。この除去又は折り畳みを容易ならしめるため、サイドリブ２３には、上下２本のスリット４２を形成している（除去又は折り畳まれる部分２３ａの付け根も薄肉化している。）。
【００３７】
(3).第１係合部
次に、背支持部１１及び背アウターシェル１２より成るバックサポートに対する背もたれ５の取り付け構造を、主として図６以下の図面を参照して説明するが、これに先だって、背インナーシェル１６の基本構成を説明しておく。
【００３８】
背インナーシェル１６はポリプロピレン等の樹脂を素材とした成形品であるが、略下半部には多数の横長スリット４５が多段に形成されている。背インナーシェル１６は、横長スリット４５の群を有しつつ全体としては連続しており、このため、おおよそ下半部はきわめて柔軟な構造になっている。また、背インナーシェル１６には、ある程度の腰を持たせるために、多数の横長リブ４６を形成している。
【００３９】
本実施形態では、背もたれ５をバックサポートに連結する手段として、背インナーシェル１６の背面に、その上部でかつ左右両側部に位置した第１前部係合部４７と、下端寄り部位でかつ左右両側部に位置した第２前部係合部４８と、上側でかつ中心寄りに位置した左右一対の第３前部係合部４９と、第３前部係合部４９の左右外側に位置した第４前部係合部４０とを形成している。他方、背アウターシェル１２には、第１前部係合部４７に対応した左右の第１後部係合部５１と、第２前部係合部４８に対応した第２後部係合部５２と、第３前部係合部４９に対応した第３後部係合部５３と、第４前部係合部５０に対応した第４後部係合部５４とを設けている。
【００４０】
図１１（Ｂ）（Ｃ）に示すように、第１前部係合部４７は、左右の羽根部４７ａを有していて基本的には底面視Ｔになっており、羽根部４７ａの上端には上面板４７ｂが連続している。他方、第１後部係合部５１は、背アウターシェル１２とは別体のキャッチ部材で構成されている。そして，この第１後部係合部５１は、背インナーシェル１６に重なる基板５１ａから左右足部５１ｂを手前に突出させた平面視コ字形の基本形態であり、左右足部５１ｂの前端に、第１前部係合部４７を手前から抱持する内向きフランジ５１ｃを形成している。内向きフランジ５１ｃの上下内面は、第１前部係合部４７の誘い込みのため傾斜ガイド面になっている。
【００４１】
第１後部係合部５１の基部５１ａには、上下一対の外向きフランジ５１ｄを形成している。他方、背アウターシェル１２には、第１後部係合部５１の上下外向きフランジ５１ｄを手前から抱持するキャッチ部５５の対が上下に２対（２組ずつ）ずつ形成されている。キャッチ部５５はサイドリブ２３に寄った箇所に配置しており、従って、第１後部係合部５１は、ミドルリブ２４の側に寄せた状態で背アウターシェル１２に近接させてから左右外側にずらすことにより、キャッチ部５５に装着される。これにより、第１後部係合部６１は、背アウターシェル１２に前向き移動不能に取り付けられる。
【００４２】
図１１（Ｂ）に示すように、キャッチ部５５の対の間には左右横長のリブ５６を設けているが、このリブ５６に凹所５６ａを形成している一方、図１１（Ｂ）に示すように、第１後部係合部５１の後面には、凹所５６ａに嵌まる後ろ向き突起５１ｅを形成している。このため、第１後部係合部５１は、簡単には脱落しない状態で背アウターシェル１２に保持される（組み立て工程で背アウターシェル１２をひっくり返す等しても、第１後部係合部５１が脱落することはない。）。例えば図７に示すように、キャッチ部５５の左右外側には、第１後部係合部５１を位置決めするための規制板５７を設けている。
【００４３】
そして、背もたれ５の上部を重ねてから下にずらすことにより、背インナーシェル１６の第１後部係合部５１は第１後部係合部５１に上から嵌合し、これにより、背もたれ５の上部は背アウターシェル１２に対して前後離反不能で左右動不能に保持される。背もたれ５の高さ位置は、第１前部係合部４７の上面板４７ｂが第１後部係合部５１に当たることで規制できる。
【００４４】
また、背アウターシェル１２にはキャッチ部５５を上下に２組形成しているため、第１後部係合部５１を上下いずれかのキャッチ部５５に取り付けることにより、背もたれ５の高さを２段階に変更できる。図７と図１１（Ａ）では上下２個の第１後部係合部５１を表示しているが、実際に使用するのは上下いずれか一方（左右２個）である。また、図６では第１後部係合部５１は表示していない。第１後部係合部５１は樹脂の成形品である。
【００４５】
(4).第２係合部
図１０に示すように、背インナーシェル１６の第２前部係合部４８は後ろ向きに突設しており、その先端（後端）に平面視内向きの係合爪４８ａを設けている。他方、第２後部係合部５２は、背フレーム８を構成する背支持部１１の縦溝２０の内部に形成しており、従って、第１前部係合部４８は縦溝２０に嵌まって左右動不能に保持される。そして、第２後部係合部５２は、第１前部係合部４８の係合爪４８ａが弾性変形して乗り越えて、乗り越えると手前に戻り不能に引っ掛かる矢尻状の係合突起になっている。
【００４６】
第１前部係合部４７を第１後部係合部５１に嵌め込んだ状態（すなわち通常の使用状態）では、第２前部係合部４８は第２後部係合部５２と重なる高さに位置しており、従って、背もたれ５の取り付けに際しては、まず、第１前部係合部４７を第１後部係合部５１に嵌め込んでから、背もたれ５を背アウターシェル１２に対して強く押し付けると、第２前部係合部４８の係合爪４８ａは弾性変形してから第２後部係合部５２の後ろに移行し、これにより、背もたれ５は手前に離反不能に保持される。
【００４７】
また、図１０（Ｂ）に明示するように、第２後部係合部５２は第２前部係合部４８の上向き動を阻止する上記載部５２ａも有しており、このため、背もたれ５は上向き動不能に保持される。背もたれ５を取り外すに際しては、背もたれ５の下端部を下向きに引っ張ることで第２前部係合部４８を下方にずらし、それから背もたれ５の下部を手前に移動させる。背インナーシェル１６は多数の横長スリット４５の存在により、下端を引っ張ると背もたれさの下半部が伸びて第２前部係合部４８は下降動するため、第２後部係合部５２に対する係合を解除することができる。
【００４８】
(5).第３係合部・第４係合部
図７〜９に示すように、第３前部係合部４９は下向きに延びるレバー形状になっており、背インナーシェル１６に切り抜き形成した状態になっている。そして、第３前部係合部４９の付け根寄りの上部に角形の係合穴５９を空けており、この係合穴５９が第３後部係合部５３に嵌まるようになっている。第３係合部５３は、下面を係合面とする側面視三角形に形成されている。
【００４９】
図１２，１３に示すように、第３前部係合部４９は、背インナーシェル１６に形成した後ろ向きに突出部６０から下向きに延びる形態になっており、その全体が背インナーシェル１６の後ろに位置している。そして、第１前部係合部４７を第１後部係合部５１に嵌め込んでから、背もたれ５を背アウターシェル１２に押し付けると、第３前部係合部４９の係合穴５９が第３後部係合部５３に嵌まり込む。これにより、背もたれ５は上向き動不能にしっかりと保持される。すなわち、背もたれ５の上向き動阻止機能を、この第３係合部４９，５３が最も強く担っている。
【００５０】
第３前部係合部４９は、背インナーシェル１６のうち横長スリット４５の群を設けている部分の上部に設けている。従って、図１２に一点鎖線で示すように、第２前部係合部４８と第２後部係合部５２との係合を解除してから、背インナーシェル１６の下端を手前に引くと、背インナーシェル１６の下半部を手前に捲ることができる。これにより、人は指先を第３前部係合部４９に掛けてこれを手前に引いて、第３係合部４９，５３の係合を解除できる。
【００５１】
例えば図７に示すように、第３前係合部４９の内側部には、側面視上向き鉤型の補助係合爪４９ｂを設けている。そして、背インナーシェル１６のうち補助係合爪４９ｂの上側には、第３前係合部４９を手前に引くと補助係合爪４９ｂが引っ掛かる補助係止部４９ｃを設けている。従って、第３前係合部４９を手前に引いた状態に保持できる。
【００５２】
このように補助係合爪４９ｂと補助係止部４９ｃとを有するため、背もたれ５を取り外すに際しては、左右の第３前係合部４９を１つずつ簡単に係合解除できる。従って、片方の第３前係合部４９を手前に引いた状態に保持しておく必要がなくて、背もたれ５の取り外し作業を楽に行える。補助係止部４９ｃとは１つの第３前係合部４９について左右一対ずつ設けてもよい。また、片側だけに設ける場合、左右方向の外側に設けてもよい。
【００５３】
図９に示すように、第３前部係合部５０は略角形の形態を成して後ろ向きに突出しており、その先端には平面視で斜め手前外向きに突出した係合溝５４を形成している。他方、第４後部係合部５４は、ミドルリブ２４の外側に配置した上下長手の補助リブ６２の内側面に突設しており、爪状の形態を成している。第３前部係合部５０は、補助リブ６２とミドルリブ２４との間に入り込んでいる。従って、背もたれ５は、第４係合部５０，５４の嵌まり合いによって手前にずれ不能に保持されているのみならず、補助リブ６２とミドルリブ２４との規制作用で左右動不能に保持されている。
【００５４】
第３係合部４９，５３は背もたれ５を上下動不能に保持するものであり、背もたれ５が手前に離反することを阻止する機能は備えていないが、第４係合部５０，５４が第３係合部４９，５３の左右外側に位置しているため、例えば、背インナーシェル１６のうち使用者の体圧によって第３係合部４９，５３の近辺に前後方向の振動が作用しても、第３前部係合部４９が第３後部係合部５３から外れることはない。
【００５５】
第４前部係合部５０の付け根寄り部位には、第４後部係合部５３に手前から当接するストッパー片５０ｂを設けている。このため、背インナーシェル１６のうち第４前部係合部５０の近辺部が前後方向にバウンドするようなことはない。これにより、第３前部係合部５０が第３後部係合部５３から外れることを確実に防止できる。
【００５６】
背インナーシェル１６を所定の高さよりやや高い状態にして背アウターシェル１２に重ねてから下向きにずらすと、第１前係合部４７が第１後係合部５１に嵌まり込むと共に、第４前係合部５０が第４後係合部５４に係合し、かつ、第３係合部４９は、第１及び第４係合部４７，５１，４９，５４の嵌まり合いに誘われて、弾性変形してから戻り変形することで、係合穴５９が第４後係合部５３に嵌合する。これにより、背もたれ５は前後動不能及び左右動不能で前後動不能に保持される。背もたれ５を手前に捲ることにより（或いは上向きに折り返すことにより）、第３前係合部４９を手前に引いて第３後係合部５３から離脱させることができる。すると、背もたれ５を上にずらと、第４前部係合部５０と第４後部係合部５４との係合を解除できる。
【００５７】
例えば図７に示すように、背インナーシェル１６の上部でかつ左右中間部に角形のアッパ突起６３を設けており、このアッパ突起６３が背アウターシェル１２における左右インナーリブ２８の間にきっちり嵌まるようになっている。また、アッパ突起６３の左右両側には、ミドル突起２８に当接する段部６４を形成している。このアッパ突起６３と段部６４とによっても、背もたれ５の上部の前後位置と左右位置とが規定されている。
【００５８】
なお、例えば図７に示すように、背インナーシェル１６の背面には、表皮材１８の周縁に取り付けたテープを嵌め込み係止するテープキャッチ６６が、周方向に沿って多数形成されている。このテープキャッチ６６の群は、背アウターシェル１２のサイドリブ２３の内側に位置している。このため、背インナーシェル１６はサイドリブ２３の外側には露出しておらず、従って、美観を損なうことはない。
【００５９】
本実施形態では、後部係合部５１〜５４は上下に離間して２組ずつ形成されているため、前部係合部４７〜５０を上下いずれかの後部係合部５１〜５４に選択して係合させることにより、背もたれ５を、上下後部係合部５１〜５４の間の高さ寸法Ｈ（図６参照）だけ高さ変更（調節）することができる。すなわち、ローバックタイプをミドルバックタイプに変更したり、ミドルパックタイプをハイバックタイプに変更したりすることができる。
【００６０】
本実施形態のように背支柱１３に第２後部係合部５２を設けると、背アウターシェル１２に過大な負担が作用することを防止して高い体圧支持強度を確保できる利点がある。敢えて述べるまでもないが、本願発明は、背もたれの高さを変更できないタイプの椅子にも適用できる。また、背アウターシェルを背フレームに取り付けるための係合部の構造や位置などは、必要に応じて任意に変更できる。
【産業上の利用可能性】
【００６１】
本願発明は、椅子に具体化することができる。従って、産業上利用できる。
【符号の説明】
【００６２】
５  背もたれ
８  背フレーム
１０  背フレームのリア部
１１  背フレームの背支持部
１２  背アウターシェル
１３  背支持部の一部である背支柱
１６  背インナーシェル
２１  ブロック部
２３  サイドリブ
２４  ミドルリブ
２５  ポケット部
２９  後ろ係合部の一環である下部ストッパー
３０  前係合部の一環であるストッパー穴
３２  後ろ係合部の一環であるコーナー係合爪
３３  前係合部の一環であるコーナー係合穴
【図１】
0005954965.tif 000002
【図２】
0005954965.tif 000003
【図３】
0005954965.tif 000004
【図４】
0005954965.tif 000005
【図５】
0005954965.tif 000006
【図６】
0005954965.tif 000007
【図７】
0005954965.tif 000008
【図８】
0005954965.tif 000009
【図９】
0005954965.tif 000010
【図１０】
0005954965.tif 000011
【図１１】
0005954965.tif 000012
【図１２】
0005954965.tif 000013
【図１３】
0005954965.tif 000014